【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】  式Ｉ：
【化１】
2002523368.tif 000001
［式中、
ＡはＣ1〜Ｃ6アルキル、アリール、Ｃ1〜Ｃ6アルキルアリール、Ｃ1〜Ｃ6アルキル（Ｏ）Ｃ1〜Ｃ6アルキルアリール、Ｃ1〜Ｃ6アルキル（Ｓ）Ｃ1〜Ｃ6アルキルアリール、インドリル、インドリニル、チエニル、（Ｃ1〜Ｃ6アルキル）チエニル、ベンゾチエニル、ベンゾフラニル、ナフタニル、シクロへキシル、（Ｃ1〜Ｃ6アルキル）インドリル、（Ｃ1〜Ｃ6アルキル）ベンゾチエニル、（Ｃ1〜Ｃ6アルキル）ナフタニル、（Ｃ1〜Ｃ6アルキル）ベンゾフラニル、及び、（Ｃ1〜Ｃ6アルキル）シクロヘキシルであり；
ＢはＮＨ2、ＮＨＲ1、Ｃ1〜Ｃ6アルキルＮＨ2、Ｃ1〜Ｃ6アルキルＮＨＲ1、Ｃ1〜Ｃ6アルキルアリールＮＨ2、Ｃ1〜Ｃ6アルキルアリールＮＨＲ1、Ｃ1〜Ｃ6アルキルシクロヘキシルＮＨ2、Ｃ1〜Ｃ6アルキルシクロヘキシルＮＨＲ1、Ｒ1−ピペリジン−３−イル（Ｃ1〜Ｃ6アルキル）、Ｒ1−ピペリジン−２−イル（Ｃ1〜Ｃ6アルキル）、Ｒ1−ピペリジン−４−イル（Ｃ1〜Ｃ6アルキル）、Ｒ1−キノリン−２−イル（Ｃ1〜Ｃ6アルキル）、Ｒ1−（２，４−ジヒドロキノリン−２−イル（Ｃ1〜Ｃ6アルキル）、Ｒ1−イソキノリン−２−イル（Ｃ1〜Ｃ6アルキル）、及び、Ｒ1−（２，４−ジヒドロイソキノリン−２−イル（Ｃ1〜Ｃ6アルキル）であり；Ｒ1は水素、Ｃ1〜Ｃ6アルキル、Ｃ1〜Ｃ6アルキル（ＯＨ）、または、Ｃ1〜Ｃ6アルキリデニル（ＯＨ）Ｒ2であり；Ｒ2はＣ1〜Ｃ6アルキル、Ｃ1〜Ｃ6アルケニル、Ｃ1〜Ｃ6アルキル（Ｏ）Ｃ1〜Ｃ6アルキル、Ｃ（Ｏ）Ｏ−Ｃ1〜Ｃ6アルキル、アリール、または、Ｃ1〜Ｃ6アルキルアリールであり；
ＸはＣ1〜Ｃ6アルキリデニル、Ｏ、Ｓ、ＮＨ、または、Ｎ（Ｃ1〜Ｃ6アルキル）であり；
Ｖは、
【化２】
2002523368.tif 000002
、及び、
【化３】
2002523368.tif 000003
からなる群より選択され；ＷはＳ、Ｏ、ＮＨ、または、ＣＨ2であり；ＹはＮまたはＣＨであり；ＺはＮまたはＣＨであり；Ｙ’はＮまたはＣＨであり；Ｚ’はＮまたはＣＨであり；Ｒ4及びＲ5は各々独立して水素、Ｃ1〜Ｃ6アルキル、アリール、Ｃ1〜Ｃ6アルキルアリール、Ｃ（Ｏ）Ｏ（Ｃ1〜Ｃ6アルキル）、Ｃ（Ｏ）Ｎ（Ｃ1〜Ｃ6アルキル）2、または、Ｃ1〜Ｃ6アルキルＣＯＲ7であり；Ｒ7は水素、Ｃ1〜Ｃ6アルキル、ピロリジニル、ピペリジニル、ホモプロリン、または、プロリンであり；  Ｄは水素、Ｃ1〜Ｃ6アルキル、Ｃ1〜Ｃ6アルキル（アリール）2、Ｃ1〜Ｃ6アルキル（Ｏ）（ＣＯ）Ｃ1〜Ｃ6アルキル、Ｃ1〜Ｃ6アルキル（Ｏ）（ＣＯ）Ｎ（Ｃ1〜Ｃ6アルキル）2、Ｃ1〜Ｃ6アルキルアリール、Ｃ（Ｏ）Ｒ6、Ｃ1〜Ｃ6アルキル（Ｏ）Ｒ6、Ｃ1〜Ｃ6アルキル（ＯＨ）、Ｃ1〜Ｃ6アルキルＣ（Ｏ）Ｒ6、Ｃ1〜Ｃ6アルキルＲ6、アリール、（Ｃ1〜Ｃ6アルキル）ＮＨＳＯ2（Ｃ1〜Ｃ6アルキル）、（Ｃ1〜Ｃ6アルキル）ＮＨＳＯ2（アリール）であり；Ｒ6はＨ、Ｃ1〜Ｃ6アルキル、アリール、ナフチル、Ｃ1〜Ｃ6アルキルアリール、アセチル、ＮＨ2、ＮＨ（Ｃ1〜Ｃ6アルキル）、ＮＨ（Ｃ1〜Ｃ6アルキル）Ｏ（Ｃ1〜Ｃ6アルキル）、ＮＨ（Ｃ1〜Ｃ6アルキル）Ｏ（アリール）、ＮＨ（Ｃ1〜Ｃ6アルキル）、Ｓ（Ｃ1〜Ｃ6アルキル）、ＮＨ（Ｃ1〜Ｃ6アルキリデニル）ＯＣＨ3、ＮＨ（Ｃ1〜Ｃ6アルキル）アリール、ＮＨ（Ｃ3〜Ｃ6シクロアルキル）、ＮＨ（Ｃ1〜Ｃ6アルキル）Ｃ（Ｏ）（Ｃ1〜Ｃ6アルキル）、ＮＨ（Ｃ1〜Ｃ6アルキル）ＮＨ（Ｃ1〜Ｃ6アルキル）、ＮＨ（Ｃ1〜Ｃ6アルキル）ＮＨ（Ｃ1〜Ｃ6アルキルアリール）、ＮＨＳＯ2（Ｃ1〜Ｃ6アルキルアリール）、ＮＨ（Ｃ1〜Ｃ6アルキル）Ｃ（Ｏ）Ｏ（Ｃ1〜Ｃ6アルキル）、ＮＨ（アリール）、Ｎ（Ｃ1〜Ｃ6アルキル）2、Ｎ（Ｃ1〜Ｃ6アルキル）（アリール）、Ｎ（Ｃ1〜Ｃ6アルキル）（Ｃ1〜Ｃ6アルキルアリール）、Ｏ（Ｃ1〜Ｃ6アルキル）、Ｏ（アリール）、Ｏ（Ｃ1〜Ｃ6アルキルアリール）、ピペリジニル、ピペリジニル−（Ｃ1〜Ｃ6アルキル）、ピペリジニル−Ｃ（Ｏ）ＮＨ（Ｃ1〜Ｃ6アルキル）、ピペリジニル−Ｃ（Ｏ）ＮＨ（Ｃ1〜Ｃ6アルキルアリール）、ピペリジニル−Ｃ（Ｏ）Ｎ（Ｃ1〜Ｃ6アルキル）2、ピペリジニル−Ｃ（Ｏ）Ｎ（Ｃ1〜Ｃ6アルキル）（アリール）、ピペリジニル−Ｃ（Ｏ）Ｏ（Ｃ1〜Ｃ6アルキル）、ピロリジニル、ピペリジニル−（Ｃ1〜Ｃ6アルキル）、ピロリジニル、Ｃ（Ｏ）ＮＨ（アリール）−、ピロリジニルＣ（Ｏ）ＮＨ（Ｃ1〜Ｃ6アルキル）、ピロリジニル−Ｃ（Ｏ）Ｏ（Ｃ1〜Ｃ6アルキル）、ピロリジニル（Ｃ1〜Ｃ6アルキル）Ｏ（Ｃ1〜Ｃ6アルキル）、ピロリジニルＣ（Ｏ）ＮＨ（Ｃ1〜Ｃ6アルキル）2−、ピロリジニルＣ（Ｏ）ＮＨ（Ｃ1〜Ｃ6アルキルアリール）−、ピロリジニルＣ（Ｏ）ＮＨ（Ｃ1〜Ｃ6アルキル）アリール−ピロリニル、モルホリノ、ヘキサメチレンイミノ、ヘプタメチレンイミノ、キノリニル、２，４−ジヒドロキノリニル、１，２，３，４−テトラヒドロキノリニル、２，４−ジヒドロイソキノリニル、１，２，３，４−テトラヒドロイソキノリニル、インドリニル、プロリン、ホモプロリン、グリシン、アラニン、バリン、ロイシン、イソロイシン、チロシン、トリプトファン、フェニルアラニン、セリン、スレオニン、アスパラギン、���ルタミン酸、アスパラギン酸、リジン、アルギニン、グルタミン、ヒスチジン、システイン及びメチオニンからなる群より選択されるアミノ酸、または、
【化４】
2002523368.tif 000004
【化５】
2002523368.tif 000005
からなる群より選択される窒素含有複素環であり；
Ｅは水素、Ｃ1〜Ｃ6アルキル、Ｃ（Ｏ）Ｃ1〜Ｃ6アルキル、アリール、（アリール）Ｃ（Ｏ）ＮＲ6、（アリール）（Ｃ1〜Ｃ6アルキル）Ｃ（Ｏ）Ｒ6、Ｃ1〜Ｃ6アルキルアリール、Ｃ（Ｏ）アリール、Ｃ1〜Ｃ6アルキルＣ（Ｏ）アリール、ナフチル、Ｃ1〜Ｃ6アルキルナフチル、Ｃ（Ｏ）ナフチル、Ｃ1〜Ｃ6アルキルＣ（Ｏ）ナフチル、ヘテロアリール、Ｃ1〜Ｃ6アルキルヘテロアリール、Ｃ（Ｏ）へテロアリール、Ｃ1〜Ｃ6アルキルＣ（Ｏ）へテロアリール、インダニル、Ｃ1〜Ｃ6アルキルインダニル、Ｃ（Ｏ）インダニル、Ｃ1〜Ｃ6アルキルＣ（Ｏ）インダニル、シクロアルキルであるか、Ｄ及びＥが一緒になって未置換、若しくは、ヒドロキシル、Ｏ（ＣＯ）Ｃ1〜Ｃ6アルキル、Ｃ（Ｏ）Ｒ6若しくはＯ（ＣＯ）Ｒ6で置換されたインダニル、フルオレニルまたはシクロアルキルを形成し；
Ｇは水素、Ｃ1〜Ｃ6アルキル、アリール、Ｃ1〜Ｃ6アルキルアリール、及び、Ｃ1〜Ｃ6アルケニルであり；
Ｊは水素、Ｃ1〜Ｃ6アルキル、アリール、及び、Ｃ1〜Ｃ6アルキルアリールであり；
Ｌは水素、Ｃ1〜Ｃ6アルキル、Ｃ（Ｏ）ＯＣ1〜Ｃ6アルキル、アリール、Ｃ1〜Ｃ6アルキルアリール、Ｃ（Ｏ）ＯＣ1〜Ｃ6アルキルアリール、Ｃ1〜Ｃ6アルケニル、−Ｆ及び−ＣＮ、Ｃ1〜Ｃ6アルキル−ＯＨ、Ｃ1〜Ｃ6アルキル−Ｏ−Ｃ1〜Ｃ6アルキル、Ｃ1〜Ｃ6アルキル−Ｃ（Ｏ）Ｒ6である。］
の化合物、または、その医薬的に許容される塩、若しくは、溶媒和物。
【請求項２】  Ａが、
【化６】
2002523368.tif 000006
からなる群より選択される、請求項１に記載の化合物。
【請求項３】  Ｂが、
【化７】
2002523368.tif 000007
である、請求項１に記載の化合物。
【請求項４】  ＸがＮＨである、請求項１に記載の化合物。
【請求項５】  Ｖが、
【化８】
2002523368.tif 000008
からなる群より選択される、請求項１に記載の化合物。
【請求項６】  Ｄが−Ｃ（Ｏ）Ｒ6であり、Ｒ6が１−ピロリジニル、１−ピペリジニル、４−メチル−１−ピペリジニル、
【化９】
2002523368.tif 000009
である、請求項１に記載の化合物。
【請求項７】  Ｅが、
【化１０】
2002523368.tif 000010
である、請求項１に記載の化合物。
【請求項８】  ＧがＨである、請求項１に記載の化合物。
【請求項９】  ＪがＨである、請求項１に記載の化合物。
【請求項１０】  ＬがＨまたはＣＨ3である、請求項１に記載の化合物。
【請求項１１】  請求項１の化合物を含む、ヒトまたは動物において、内因性成長ホルモンのレベルを増加させるための医薬組成物。
【請求項１２】  該組成物が骨の抗吸収剤を含む、請求項１１に記載の組成物。
【請求項１３】  該骨の抗吸収剤がビスホスホネートである、請求項１２に記載の組成物。
【請求項１４】  請求項１に記載の化合物を含む、内因性成長ホルモンの増加により調節することができる生理学的な症状の処置、または、予防のための医薬組成物。
【請求項１５】  １以上の医薬的に許容される担体、希釈剤または賦形剤と共に、活性成分として請求項１の化合物、または、その医薬的に許容される塩若しくは溶媒和物を含む医薬製剤。